(57)【要約】【課題】導光板を容易に位置決めできるとともにしっかりと固定でき、且つ塵の侵入を防止したバックライト装置を提供することである。【解決手段】バックライト装置１２は、導光板１７と、導光板１７の端面に対向配置した線状のランプ１８と、導光板１７から光を取り出す開口部を有する額縁状のケース１５とを備え、ケース１５の内側全周に、導光板１７を嵌める段部１５ａを設けた構成とする。【選択図】図２
2006092766.tif 000002
【特許請求の範囲】
【請求項１】
導光板と、該導光板の端面に対向配置した線状のランプと、前記導光板から光を取り出す開口部を有する額縁状のケースとを備えたバックライト装置において、前記ケースの内側全周に、前記導光板を嵌める段部を設けたことを特徴とするバックライト装置。
【請求項２】
前記導光板の端面と前記段部の側面との隙間が０．１ｍｍ以上０．５ｍｍ以下であることを特徴とする請求項１記載のバックライト装置。
【請求項３】
前記段部の高さが０．３ｍｍ以上１．０ｍｍ以下であることを特徴とする請求項１又は２記載のバックライト装置。
【請求項４】
請求項１〜３の何れかに記載のバックライト装置を搭載した液晶表示装置。
【発明の詳細な説明】
【技術分野】
【０００１】
本発明は液晶表示装置に関し、特にそのバックライト装置の構造に関するものである。
【背景技術】
【０００２】
液晶表示装置に搭載されるバックライト装置は、薄型構造とするために導光板の端に光源ユニットを配置したエッジライト型のものが主流になっている。このエッジライト型のバックライト装置においては、図５、図６に示すような構造により導光板が位置決め・固定されている。図５はバックライト装置の導光板の角付近の平面図である。図５では、裏蓋を切り起こして形成されたＬ字型の爪３０が導光板４０の角に合致し、導光板４０の位置決め・固定を行っている。
【０００３】
また図６は他の形態のバックライト装置の導光板の角付近の平面図である。図６では、裏蓋を切り起こして形成された直線状の爪３１が導光板４１の角の面取りされた部分に当接し、導光板４１の位置決め・固定を行っている（特許文献１参照）。
【特許文献１】特開２００１−３５２３５号公報
【発明の開示】
【発明が解決しようとする課題】
【０００４】
しかしながら、図５の構成によると、爪３０によって遮光される領域が多くなるとともに、導光板４０とランプとの間隔が広くなるという問題がある。また、図６の構成によると、導光板４１の角が大きく面取りされているため、液晶パネルのアクティブエリア１４ａを小さくしなければ、アクティブエリアの角が導光板からはみ出して表示できなくなるという問題がある。
【０００５】
また、爪３０、３１は裏蓋を切り起こして形成されているため、切り起こした後の孔から塵が入るおそれがある。
【０００６】
更に、液晶表示装置の軽量化のため、一般的に裏蓋は薄い（例えば０．５ｍｍ）ので、切り起こした爪３０、３１は変形して倒れるおそれがある。その場合、導光板４０、４１の位置がずれるという問題が生じる。更に、上記ずれにより、ランプが割れる事もある。
【０００７】
本発明は、導光板を容易に位置決めできるとともにしっかりと固定でき、且つ塵の侵入を防止したバックライト装置を提供することを目的とする。またそのバックライト装置を搭載した液晶表示装置を提供することも目的とする。
【課題を解決するための手段】
【０００８】
上記目的を達成するために本発明は、導光板と、該導光板の端面に対向配置した線状のランプと、前記導光板から光を取り出す開口部を有する額縁状のケースとを備えたバックライト装置において、前記ケースの内側全周に、前記導光板を嵌める段部を設けたことを特徴とするものである。
【０００９】
この構成によると、導光板が段部で位置決め・固定される。また、導光板固定用に裏蓋を切り起こす必要がなくなる。
【００１０】
上記のバックライト装置において、前記導光板の端面と前記段部の側面との隙間が０．１ｍｍ以上０．５ｍｍ以下であることが望ましい。
【００１１】
この隙間が０．１ｍｍ未満の場合は狭すぎて、導光板の外径寸法の公差と段部の外形寸法の公差とにより導光板が段部に嵌まらない場合がある。一方、この隙間が０．５ｍｍを超える場合は位置決めが甘くなり、導光板がケース内で正規な位置からずれるおそれがある。
【００１２】
また上記のバックライト装置において、前記段部の高さが０．３ｍｍ以上１．０ｍｍ以下であることが望ましい。
【００１３】
この高さが０．３ｍｍ未満の場合は低すぎて、液晶表示装置の輸送や設置時の振動により、段部から導光板が外れてしまう場合がある。一方、この高さが１．０ｍｍを超える場合は高すぎて、ランプからの光の一部が段部で遮られ、段部に収まっている導光板の端部に光が入らない。その結果として、液晶パネルの端部付近では十分に照明されずに暗線が生じる。
【００１４】
また本発明の液晶表示装置は、上記のバックライト装置を搭載したものである。
【発明の効果】
【００１５】
請求項１によれば、ケースの内側全周に段部を設けることにより、導光板を容易に位置決めできるとともにしっかりと固定でき、且つバックライト装置への塵の侵入を防止することができる。
【００１６】
請求項２によれば、隙間を０．１ｍｍ以上０．５ｍｍ以下とすることにより、導光板が段部の定位置に収まり、均一な照明を実現できる。
【００１７】
請求項３によれば、段部の高さを０．３ｍｍ以上１．０ｍｍ以下とすることにより、導光板が段部から外れることなく、均一な照明を実現できる。
【００１８】
請求項４によれば、上記のバックライト装置を液晶表示装置に搭載することにより、導光板を容易に位置決めできるとともにしっかりと固定でき、且つバックライト装置への塵の侵入を防止することができる。
【発明を実施するための最良の形態】
【００１９】
図１は液晶表示装置の分解斜視図、図２は液晶表示装置の断面図、図３はケース及び導光板の分解斜視図、図４はバックライト装置の導光板の角付近の平面図である。液晶表示装置１０は、図１に示すように、液晶表示部１１をエッジライト型のバックライト装置１２上に積層して構成される。液晶表示部１１は、金属製の前面枠１３と、この前面枠１３とケース１５とで狭持される液晶パネル１４とから構成される。
【００２０】
バックライト装置１２は、開口部を有する額縁状樹脂製のケース１５と、ケース１５の開口部に嵌め込まれた２枚の拡散板１６ａ、１６ｂ及び導光板１７と、Ｌ字型で線状の冷陰極管等からなるランプ１８と、導光板１７やランプ１８を覆いケース１５に嵌合する裏蓋１９とを備えている。導光板１７の厚みは例えば約５ｍｍである。
【００２１】
ランプ１８には、ランプケーブル（不図示）が接続される。そしてランプ１８及びランプケーブルの接続部は、ランプホルダ（不図示）により覆われる。またランプホルダを固定するとともにランプ１８からの発光を反射するランプリフレクタ（不図示）も設けられる。
【００２２】
更に図２に示すように、裏蓋１９の背面には制御基板２０が配設される。制御基板２０はＴＣＰ（テープキャリアパッケージ）２１により液晶パネル１４に接続される。そして前面枠１３に嵌合する裏カバー（不図示）により制御基板２０やＴＣＰ２１が覆われる。
【００２３】
次に、バックライト装置１２の構造について詳しく説明する。ケース１５には、図２に示すような断面Ｌ字型の段部１５ａがケース１５の全周に亘って形成されている。この段部１５ａは、導光板１７の位置決めと固定を行うものである。導光板１７は段部１５ａと裏蓋１９とで狭持される。また、段部１５ａよりも小さい段部１５ｃがケースの全周に亘って形成されている。この段部１５ｃと導光板１７とで拡散板１６ａ、１６ｂが狭持される。
【００２４】
ここで、導光板１７の位置決めと固定のため、段部１５ａは導光板１７がきっちり嵌まる形状と大きさに設計する必要がある。そこで、段部１５ａの側面１５ｂと導光板１７の端面との隙間Ａが重要になる。この隙間Ａが０．１ｍｍ未満の場合は狭すぎて、導光板１７の外径寸法の公差と段部１５ａの外形寸法の公差とにより導光板１７が段部１５ａに嵌まらない場合がある。一方、この隙間Ａが０．５ｍｍを超える場合は位置決めが甘くなり導光板１７がケース１５内で正規な位置からずれるおそれがある。従って、この隙間Ａが０．１ｍｍ以上０．５ｍｍ以下であることが好ましく、この範囲のとき導光板１７が段部１５ａの定位置に収まり、均一な照明を実現できる。
【００２５】
また、段部１５ａの高さＢも重要である。この高さＢが０．３ｍｍ未満の場合は低すぎて、液晶表示装置１０の輸送や設置時の振動により、段部１５ａから導光板１７が外れてしまう場合がある。一方、この高さＢが１．０ｍｍを超える場合は高すぎて、ランプ１８からの光の一部が段部１５ａで遮られ、段部１５ａに収まっている導光板１７の端部に光が入らない。その結果、液晶パネル１４ａの端部付近では十分に照明されずに暗線が生じる。従って、段部１５ａの高さＢは、０．３ｍｍ以上１．０ｍｍ以下であることが好ましく、この範囲の時、導光板１７が段部１５ａから外れることなく、均一な照明を実現できる。
【００２６】
なお上記の構成のとき、ランプ１８と導光板１７の端面との距離Ｃは約０．５ｍｍであり、ランプ１８と液晶パネル１４方向のケース１５の内壁面との距離Ｄは約０．７ｍｍである。また、拡散板１６ａを抑えているケース１５の端部と液晶パネル１４のアクティブエリアの端部との距離は約１．２ｍｍである。
【００２７】
なお、図２のように平面型導光板を用いる場合は、段部１５ａの断面はＬ字型とすることが望ましいが、他の形状の導光板を用いる場合は、段部は導光板に合致する形状であればよい。
【００２８】
このように、ケース１５に形成された段部１５ａに導光板１７を嵌めることにより、導光板を容易に位置決めでき、固定もできる。段部１５ａをケース１５の全周に亘って設けることにより変形にも強く、導光板１７をしっかり固定することができる。また、従来のように、裏蓋１９を切り起こして爪を形成することがないので、切り起こした後の孔から塵が入るおそれがない。更に、図６の従来の液晶表示装置では導光板４１の角が大きく面取りされているため、液晶パネルのアクティブエリア１４ａを小さくしなければ、アクティブエリア１４ａの角が導光板４１からはみ出して表示できなくなるという問題があったが、図４の本発明の液晶表示装置１０では導光板１７の角は小さく面取りされているだけなのでアクティブエリア１４ａを大きくとることができる。従って、アクティブエリア１４ａの端部からランプ１８までの距離が短くなる。その結果、液晶表示装置の狭額縁化が可能となる。
【００２９】
なお、本発明では導光板１７の角は必ずしも面取りする必要はない。図４では、ランプ１８の曲げ部分に導光板の角が当たらないようにするため、更には破損防止や段部１５ａへの嵌め易さのために、導光板１７の角を面取りしている。
【００３０】
なお、本発明において、裏蓋１９に替えて、ケース１５の下端を導光板１７の方向に延ばして導光板１７を支持するようにしてもよい。
【産業上の利用可能性】
【００３１】
本発明のバックライト装置はエッジライト型であり、冷陰極管等からなる線状のランプを用いた光源ユニットを搭載するものである。また本発明の液晶表示装置は、そのバックライト装置を搭載し、直視型と投射型どちらにも利用することができる。
【図面の簡単な説明】
【００３２】
【図１】本発明の液晶表示装置の分解斜視図である。
【図２】本発明の液晶表示装置の断面図である。
【図３】本発明のケース及び導光板の分解斜視図である。
【図４】本発明のバックライト装置の導光板の角付近の平面図である。
【図５】従来のバックライト装置の導光板の角付近の平面図である。
【図６】従来の他の形態のバックライト装置の導光板の角付近の平面図である。
【符号の説明】
【００３３】
１０  液晶表示装置
１１  液晶表示部
１２  バックライト装置
１３  前面枠
１４  液晶パネル
１４ａ  アクティブエリア
１５  ケース
１５ａ、１５ｃ  段部
１５ｂ  段部の側面
１６ａ、１６ｂ  拡散板
１７  導光板
１８  ランプ
１９  裏蓋
２０  制御基板
２１  ＴＣＰ
【図１】
2006092766.tif 000003
【図２】
2006092766.tif 000004
【図３】
2006092766.tif 000005
【図４】
2006092766.tif 000006
【図５】
2006092766.tif 000007
【図６】
2006092766.tif 000008